(57)【要約】【課題】間引きスキャンに対応し画像拡大処理に用いるメモリの容量を削減することができる撮像装置を提供する。【解決手段】撮像装置は、被写体を撮像して画像データを生成する撮像手段１０２と、前記画像データに基づく画像データを２ライン分記憶する画像データ記憶手段１０５，１０６と、前記画像データ記憶手段１０５，１０６に記憶された２ライン分の画像データに基づいて、前記撮像手段１０２が生成した画像データの垂直方向間引き率に応じた補間画像データを生成する補間演算手段１０８と、を備えている。【選択図】図１
2005080198.tif 000002
【特許請求の範囲】
【請求項１】
被写体を撮像して画像データを生成する撮像手段と、
前記画像データに基づく画像データを２ライン分記憶する画像データ記憶手段と、
前記画像データ記憶手段に記憶された２ライン分の画像データに基づいて、前記撮像手段が生成した画像データの垂直方向間引き率に応じた補間画像データを生成する補間演算手段と、を備える撮像装置。
【請求項２】
前記撮像手段が生成した画像データに基づいて縮小画像データを生成する縮小処理手段を備え、
前記画像データ記憶手段は、前記縮小画像データを２ライン分記憶する請求項１記載の撮像装置。
【請求項３】
ズーム倍率に基づいて前記縮小処理手段における縮小倍率と出力サイズとを切り替えるとともに、前記補間演算手段における補間処理のオンまたはオフを切り替える請求項２記載の撮像装置。
【請求項４】
前記撮像手段が生成した画像データに基づいて水平方向縮小画像データを生成する水平縮小処理手段と、
前記補間演算手段が補間処理した画像データに基づいて垂直方向縮小画像データを生成する垂直縮小処理手段と、を備え、
前記画像データ記憶手段は、前記水平方向縮小画像データを２ライン分記憶する請求項１記載の撮像装置。
【請求項５】
被写体を撮像して画像データを生成するステップと、
前記画像データに基づく画像データを２ライン分記憶するステップと、
前記記憶された２ライン分の画像データに基づいて、前記被写体を撮像して生成された画像データの垂直方向間引き率に応じた補間画像データを生成するステップと、を有する画像処理方法。
【請求項６】
被写体を撮像して画像データを生成するステップと、
前記画像データに基づく画像データを２ライン分記憶するステップと、
前記記憶された２ライン分の画像データに基づいて、前記被写体を撮像して生成された画像データの垂直方向間引き率に応じた補間画像データを生成するステップと、を有し、コンピュータに前記各ステップを実行させるための画像処理プログラム。
【発明の詳細な説明】
【技術分野】
【０００１】
本発明は、デジタルスチルカメラや携帯電話用カメラなどの静止画取得を行う撮像装置に関する。
【背景技術】
【０００２】
撮像装置によって静止画を取得する際、通常モニタリング表示が行われるが、モニタリング表示は、高フレームレートであることが望ましい。そのため、撮像素子として間引きスキャン可能なＣＣＤ（Charge Coupled Device）イメージセンサを利用し、モニタリング表示時には、間引きスキャンによって取得した画像データを出力するようにしている（例えば、特許文献１参照）。
【０００３】
一方、電子ズーム機能を有する撮像装置も提案されている（例えば、特許文献２参照）。図１２は、特許文献２で開示された従来の撮像装置の構成を示すブロック図である。この図において、撮像素子１２０１は、ＣＣＤ及びその駆動回路を含み、被写体からの光学像を電気信号に変換して撮像処理回路１２０２に入力する。撮像処理回路１２０２は、撮像素子１２０１から出力される画像信号に対してホワイトバランス制御、ガンマ変換等周知のカメラ信号処理を施し、フレームメモリ１２０３に入力する。フレームメモリ１２０３は、撮像素子１２０１の画素数の画像信号を記憶可能な容量を有しており、電子ズーム倍率に従って読み出しアドレスを制御して、記憶している画像信号の一部を読み出す。
【０００４】
また、従来の撮像装置の他の構成例として、フレームメモリ１２０３を持たず、撮像素子１２０１が電子ズーム倍率の情報に従ってＣＣＤからの電荷の読み出し範囲の一部から電荷を読み出して画像信号として出力するものも提案されている。
【特許文献１】特開平１０−３０４２５０号公報
【特許文献２】特開２００２−７７６９８号公報
【発明の開示】
【発明が解決しようとする課題】
【０００５】
しかしながら、間引きスキャンによって取得した画像データをモニタリング等に利用する場合、垂直方向の拡大処理を行う必要があり、拡大処理を行うためには、特許文献２に記載されるように、１画面分の画像データを記憶する容量のメモリが必要である。
【０００６】
本発明は、かかる点に鑑みてなされたものであり、間引きスキャンに対応し画像拡大処理に用いるメモリの容量を削減することができる撮像装置を提供することを目的とする。
【課題を解決するための手段】
【０００７】
前記課題を解決するために、本発明の撮像装置は、被写体を撮像して画像データを生成する撮像手段と、前記画像データに基づく画像データを２ライン分記憶する画像データ記憶手段と、前記画像データ記憶手段に記憶された２ライン分の画像データに基づいて、前記撮像手段が生成した画像データの垂直方向間引き率に応じた補間画像データを生成する補間演算手段と、を備える。
【０００８】
この構成によれば、２ライン分の画像データを記憶する画像データ記憶手段を備え、記憶した２ライン分の画像データに基づいて、垂直方向間引き率に応じた補間画像データを生成するので、垂直拡大が可能となる。また、１画面分の画像データを一旦蓄えるためのフレームメモリを必要としないので、メモリの容量の削減が可能となり、コストダウンが図れる。
【０００９】
また、本発明の撮像装置は、更に、前記撮像手段が生成した画像データに基づいて縮小画像データを生成する縮小処理手段を備え、前記画像データ記憶手段は、前記縮小画像データを２ライン分記憶する。
【００１０】
この構成によれば、予め縮小処理により画像サイズが小さくなることが分かっている場合、補間処理における画像データ記憶手段（ラインメモリ）をより削減することが可能となる。
【００１１】
また、本発明の撮像装置は、更に、ズーム倍率に基づいて前記縮小処理手段における縮小倍率と出力サイズとを切り替えるとともに、前記補間演算手段における補間処理のオンまたはオフを切り替える。
【００１２】
この構成によれば、ズーム倍率により縮小倍率と出力サイズとを切り替え、また補間処理のオンまたはオフを切り替えることで、一旦縮小画像を得てから出力画像を生成する場合と比べてより高画質な画像の生成が可能となる。
【００１３】
また、本発明の撮像装置は、更に、前記撮像手段が生成した画像データに基づいて水平方向縮小画像データを生成する水平縮小処理手段と、前記補間演算手段が補間処理した画像データに基づいて垂直方向縮小画像データを生成する垂直縮小処理手段と、を備え、前記画像データ記憶手段は、前記水平方向縮小画像データを２ライン分記憶する。
【００１４】
この構成によれば、撮像手段が生成した画像データに基づいて水平方向縮小画像データを生成するので、補間処理における画像データ記憶手段（ラインメモリ）をより削減することが可能となる。また、低い周波数のクロックでの補間処理が可能となるとともにより高画質な画像の生成が可能になる。
【００１５】
また、本発明の画像処理方法は、被写体を撮像して画像データを生成するステップと、前記画像データに基づく画像データを２ライン分記憶するステップと、前記記憶された２ライン分の画像データに基づいて、前記被写体を撮像して生成された画像データの垂直方向間引き率に応じた補間画像データを生成するステップと、を有する。
【００１６】
この方法によれば、２ライン分の画像データを記憶し、記憶した２ライン分の画像データに基づいて、垂直方向間引き率に応じた補間画像データを生成するので、垂直拡大が可能となる。また、１画面分の画像データを一旦蓄えるためのフレームメモリが不要となるので、メモリの容量の削減が可能となり、コストダウンが図れる。
【００１７】
また、本発明の画像処理プログラムは、被写体を撮像して画像データを生成するステップと、前記画像データに基づく画像データを２ライン分記憶するステップと、前記記憶された２ライン分の画像データに基づいて、前記被写体を撮像して生成された画像データの垂直方向間引き率に応じた補間画像データを生成するステップと、を有し、コンピュータに前記各ステップを実行させる。
【００１８】
このプログラムによれば、２ライン分の画像データを記憶し、記憶した２ライン分の画像データに基づいて、垂直方向間引き率に応じた補間画像データを生成するので、垂直拡大が可能となる。また、１画面分の画像データを一旦蓄えるためのフレームメモリが不要となるので、メモリの容量の削減が可能となり、コストダウンが図れる。
【発明の効果】
【００１９】
本発明によれば、２ライン分の画像データを記憶する画像データ記憶手段を備え、記憶
した２ライン分の画像データに基づいて、垂直方向間引き率に応じた補間画像データを生成するので、垂直拡大が可能となり、また１画面分の画像データを一旦蓄えるためのフレームメモリを必要としないので、メモリの容量の削減が可能となり、コストダウンが図れる。
【発明を実施するための最良の形態】
【００２０】
以下、本発明の実施の形態について、図面を用いて詳細に説明する。
【００２１】
（実施の形態１）
図１は、本発明の実施の形態１の撮像装置の構成を示すブロック図である。
【００２２】
図１において、本実施の形態の撮像装置は、集光用のレンズ１０１と、ＣＣＤセンサやＣＣＤ駆動回路を含む固体撮像素子１０２と、固体撮像素子１０２から出力される画像信号を処理する信号処理部１０３と、１ライン分の画像データを記憶する２つのラインメモリ１０５及び１０６を有する補間処理部１０４とを備えている。
【００２３】
固体撮像素子１０２は、レンズ１０１を通った光に対して光電変換して画像信号を出力する。固体撮像素子１０２は、画素毎に赤色又は緑色又は青色のいずれかの画像信号を出力する。図２は、水平６４０画素、垂直４８０画素用の固体撮像素子の画素配列を示す図である。また、図３は、図２の固体撮像素子の出力タイミングを示すタイムチャートである。この場合、図３（ａ）は水平同期タイミングであり、図３（ｂ）は垂直同期タイミングである。
【００２４】
図１に戻り、信号処理部１０３は、固体撮像素子１０２から出力された画像信号に対し、ＣＤＳ（Correlated Double Sampling）、ゲインコントロール、ＡＤ（Analog/Digital）コンバート、ホワイトバランス制御、ガンマ変換等の周知のカメラ信号処理を行い、輝度信号（Ｙ）、色差信号（Ｃｂ，Ｃｒ）に変換する。補間処理部１０４は、信号処理部１０３から出力された画像信号に対して間引き率に応じた補間処理を行う。補間処理部１０４は、上述した２つのラインメモリ１０５及び１０６の他に、ラインメモリ１０５とラインメモリ１０６のいずれか一方に信号処理部１０３の出力を入力するための切替器１０７と、ラインメモリ１０５とラインメモリ１０６それぞれから読み出された１ライン分の画像データを元に所定の演算処理を行う演算部１０８とを備えている。
【００２５】
補間処理部１０４は、図４のタイムチャートに示すように動作する。ラインメモリ１０５及び１０６への書き込みにおいて、Ｌ１ラインの画像データが入力されると、その画像データがラインメモリ１０５に書き込まれる。次いで、次の画像データであるＬ２ラインの画像データが入力されると、その画像データがラインメモリ１０６に書き込まれる。そして、次の画像データであるＬ３ラインの画像データが入力されると、その画像データがラインメモリ１０５に書き込まれる。以後、１ライン分の画像データが入力される毎にラインメモリ１０５とラインメモリ１０６とに交互に書き込まれる。なお、当然ながら、新たな画像データがラインメモリ１０５及び１０６に書き込まれると、それまで記憶していた前回の画像データに上書きされ、前回の画像データは実質上消去される。
【００２６】
一方、ラインメモリ１０５及び１０６からの読み出しにおいては、入力画像のクロックレートに対して２倍のクロックにより、２倍のレートの水平同期信号が生成される。この２倍のクロックレートでラインメモリ１０５及び１０６それぞれから１ライン分の画像データが読み出されて２ライン間の画像データが生成される。
【００２７】
すなわち、Ｌ２ラインの画像データが入力される水平同期信号の立ち上がり時点でラインメモリ１０５からＬ１ラインの画像データが読み出される。このＬ１ラインの画像デー
タは演算部１０８によってそのまま出力される。次に、次の出力水平同期信号が立ち上がった時点でラインメモリ１０５から再度Ｌ１ラインの画像データが読み出され、また同時にラインメモリ１０６からＬ２ラインの画像データが読み出される。このとき演算部１０８は、Ｌ１ラインの画像データとＬ２ラインの画像データとの平均値（（Ｌ１＋Ｌ２）／２）を算出して出力する。
【００２８】
その後、次の出力水平同期信号の立ち上がり時点でラインメモリ１０６からＬ２ラインの画像データが読み出され、このＬ２ラインの画像データは演算部１０８によってそのまま出力される。そして、次の出力水平同期信号の立ち上がり時点でラインメモリ１０６から再度Ｌ２ラインの画像データが読み出され、また同時にラインメモリ１０５からＬ３ラインの画像データが読み出される。このとき演算部１０８は、Ｌ２ラインの画像データとＬ３ラインの画像データとの平均値（（Ｌ２＋Ｌ３）／２）を算出して出力する。以後同様の動作を継続する。
【００２９】
このような補間処理を行うことにより、２ライン分のラインメモリ１０５及び１０６にて垂直方向を２倍に拡大することが可能となる。なお、４倍に拡大する場合は４倍のクロック及び４倍の水平同期信号を用い、演算部１０８において補間ラインに応じた演算をさせることにより同様に可能となる。
【００３０】
次に、図５を参照して間引きスキャンについて説明する。図５（ａ）はフルスキャンの場合のスキャンを示す図である。フルスキャンのときは固体撮像素子１０２の全てのラインが出力される。また、図５（ｂ）は２／４間引きスキャンの場合のスキャンを示す図である。２／４間引きスキャンのときは１ライン目と２ライン目が出力され、３ライン目と４ライン目は出力されない。次は５ライン目と６ライン目が出力され、７ライン目と８ライン目は出力されない。更に、図５（ｃ）は２／８間引きスキャンの場合のスキャンを示す図である。２／８間引きスキャンのときは１ライン目が出力され、２及び３ライン目は出力されず、４ライン目が出力され、その次は９ライン目が出力される。
【００３１】
間引きスキャンの場合は水平方向の間引きは行われない。図６に２／４間引きスキャン時の映像タイミングを示す。この場合、図６（ａ）は水平同期タイミングであり、図６（ｂ）は垂直同期タイミングである。図３（ａ）及び（ｂ）に示したフルスキャン時のタイミングに対して垂直タイミングとしては１ライン毎に間引かれたものとなり半分のサイズとなる。なお、水平タイミングはフルスキャン時と同じである。間引きスキャンのときに、そのときの間引き率に応じて２／４間引きスキャンの場合は垂直２倍拡大、２／８間引きスキャンの場合は垂直４倍拡大を行うことになる。
【００３２】
このように、本実施の形態の撮像装置によれば、１ライン分の画像データが入力される毎に２つのラインメモリ１０５とラインメモリ１０６に交互に書き込む一方、ラインメモリ１０５及び１０６から２ライン分の画像データを読み出す際に、Ｍライン中Ｎライン（Ｍ＞Ｎ）を出力する間引きスキャンを行う場合、補間処理部１０４がこの垂直方向間引き率に従ってラインメモリ１０５及び１０６に書き込まれた２ライン分の画像データから２ライン間の補間画像データを生成するので、垂直拡大が可能となり、また１画面分の画像データを一旦蓄えるためのフレームメモリを必要としないので、メモリの容量の削減が可能となり、コストダウンが図れる。
【００３３】
（実施の形態２）
図７は、本発明の実施の形態２の撮像装置の構成を示すブロック図である。なお、この図において前述した図１と共通する部分には同じ符号を付けている。
【００３４】
図７に示すように、本実施の形態の撮像装置は、信号処理部１０３と補間処理部１０４
との間に縮小処理部７０１を有している。縮小処理部７０１は、信号処理部１０３から出力される画像データを縮小するもので、縮小された画像データとともに有効信号を出力する。ここでは、固体撮像素子１０２がＶＧＡサイズ（水平６４０画素×垂直４８０画素）であり、モニタリング出力画像サイズがＱＶＧＡサイズ（水平３２０画素×垂直２４０画素）であり、縮小処理部７０１は、１／２に縮小するものとする。この場合、間引きスキャン時は、信号処理部１０３から出力される画像データが６４０×２４０であり、縮小処理部７０１から出力される画像データは３２０×１２０である。そして、補間処理部１０４で２倍の垂直拡大を行い、３２０×２４０の画像を出力する。
【００３５】
図８は、本実施の形態の撮像装置における補間処理を説明するためのタイムチャートである。図８において、縮小処理部７０１にて縮小された画像データは有効信号とともに出力される。補間処理部１０４では、有効画素のみラインメモリに書き込まれる。動作としては実施の形態１と同等であるがラインメモリは３２０画素分備えている。また、読み出し側のクロックは書き込み側のクロックと同一周波数となる。
【００３６】
２つのラインメモリ１０５及び１０６への書き込みにおいては、Ｌ１ラインの画像データが入力されると、そのＬ１ラインの画像データの入力有効画素信号により得られる画像データがラインメモリ１０５に書き込まれる。次いで、次の画像データであるＬ２ラインの画像データが入力されると、その画像データは取り込まれず、その後、Ｌ３ラインの画像データが入力されると、そのＬ３ラインの画像データの入力有効画素信号により得られる画像データがラインメモリ１０６に書き込まれる。次いで、次の画像データであるＬ４ラインの画像データが入力されると、その画像データは取り込まれず、その後、Ｌ５ラインの画像データが入力されると、そのＬ５ラインの画像データの入力有効画素信号により得られる画像データがラインメモリ１０５に書き込まれる。以後、入力される１ライン分の画像データを１つおきに、入力有効画素信号により得られる分の画像データが２つのラインメモリ１０５及び１０６に対して交互に書き込まれる。
【００３７】
一方、ラインメモリ１０５及び１０６からの読み出しにおいては、Ｌ２ラインの画像データが入力される水平同期信号の立ち上がり時点でラインメモリ１０５からＬ１ラインの画像データが読み出される。読み出されたＬ１ラインの画像データは演算部１０８によってそのまま出力される。次に、２つ飛ばした３つ目の出力水平同期信号が立ち上がった時点でラインメモリ１０５から再度Ｌ１ラインの画像データが読み出され、また同時にラインメモリ１０６からＬ３ラインの画像データが読み出される。このとき演算部１０８は、読み出されたＬ１ラインの画像データとＬ３ラインの画像データとの平均値（（Ｌ１＋Ｌ３）／２））を算出して出力する。
【００３８】
その後、次の出力水平同期信号の立ち上がり時点でラインメモリ１０６からＬ３ラインの画像データが読み出され、このＬ３ラインの画像データは演算部１０８によってそのまま出力される。その後、２つ飛ばした３つ目の出力水平同期信号が立ち上がった時点でラインメモリ１０６から再度Ｌ３ラインの画像データが読み出され、また同時にラインメモリ１０５からＬ５ラインの画像データが読み出される。このとき演算部１０８は、読み出されたＬ３ラインの画像データとＬ５ラインの画像データとの平均値（（Ｌ３＋Ｌ５）／２））を算出して出力する。以後同様の動作を継続する。
【００３９】
このように、本実施の形態の撮像装置によれば、信号処理部１０３と補間処理部１０４との間に、入力画像データから小サイズの画像データを生成する縮小処理部７０１を設けて、縮小された画像データから補間処理により間引き率分の画像データを生成するので、予め縮小処理により画像サイズが小さくなることが分かっている場合、補間処理におけるラインメモリの容量削減が可能となり、また画像データ読み出し時に画像データ書き込み時と同じ周波数のクロックでの補間処理が可能となるので、消費電力を低く抑えることが
できる。
【００４０】
（実施の形態３）
図９は、本発明の実施の形態３の撮像装置の構成を示すブロック図である。
【００４１】
図９において、本実施の形態の撮像装置は、ズーム倍率に基づいて縮小処理部７０１における縮小倍率と出力サイズを切り替えるとともに、補間処理部１０４における補間処理のオン／オフを切り替える制御部９０１を有している。また、ＶＧＡの固体撮像素子１０２を備えている。モニタリングスキャン時にＱＶＧＡの画像を出力する場合で、ズーム倍率が１倍つまり撮像された画角のままＱＶＧＡサイズで出力する場合、制御部９０１は縮小処理部７０１に対して水平出力画像サイズを「３２０」に設定し、垂直出力画像サイズを「２４０」に設定する（３２０×２４０）。また、サンプリングスタート位置を水平、垂直とも「０（画像の左上端）」に設定する。また、水平サンプリング画素ピッチを「２」に設定し、垂直画素ピッチを「１」に設定する。更に、補間処理部１０４に対して補間処理動作をさせないように設定する。
【００４２】
ズーム倍率が「２」の場合、つまりフルスキャン時の画像（６４０×４８０）の中心のＱＶＧＡサイズを出力する場合、縮小処理部７０１に対して、水平出力画像サイズを「３２０」、垂直出力画像サイズを「１２０」に設定する（３２０×１２０）。サンプリングスタート位置を、水平に対しては画像の左端から１６０画素の位置に、垂直に対しては画像の上端から「６０」の位置に設定する。水平画素ピッチは「１」に設定する。垂直画素ピッチは「１」に設定する。補間処理部１０４に対して２倍の補間処理を設定することになる。
【００４３】
ズーム倍率が「１」から「２」の間の場合、水平出力画像サイズを「３２０」に設定し、垂直出力画像サイズを「１２０」に設定し、またサンプリングスタート位置及び画素ピッチ（以下で説明する）はズーム倍率に応じて設定する。更に補間処理部１０４に対しては２倍の補間処理を設定する。ここで、画素ピッチとは、入力画像に対して、出力のためにサンプリングする画素間隔を示しており、ピッチが「２」の場合は１画素おきに画素をサンプリングすることになる。ピッチが「１」の場合は隣の画素を連続的にサンプリングすることになる。
【００４４】
このように、本実施の形態の撮像装置によれば、ズーム倍率により、縮小処理部７０１における縮小倍率、出力サイズ及び補間処理部１０４における補間処理のオン／オフを切り替えるので、一旦縮小画像を得てから、出力画像を生成する場合に比べ、より高画質な画像の生成が可能となる。
【００４５】
（実施の形態４）
図１０は、本発明の実施の形態４の撮像装置の構成を示すブロック図である。
【００４６】
図１０に示すように、本実施の形態の撮像装置は、信号処理部１０３と補間処理部１０４との間に水平縮小処理部１００１を有し、また補間処理部１０４の後段に垂直縮小処理部１００２を有している。また、固体撮像素子１０２として、ＶＧＡサイズ（水平６４０画素×垂直４８０画素）のものを用いている。
【００４７】
出力画像サイズとしては、１／２のサイズのＱＶＧＡサイズ（水平３２０画素×垂直２４０画素）を出力する場合、間引きスキャン時の信号処理部１０４の出力は６４０×２４０であり、これを水平縮小処理部１００１にて３２０×２４０に縮小する。この３２０×１２０の画像を補間処理部１０４により２倍の垂直拡大を行い３２０×４８０の画像を出力することになる。
【００４８】
図１１は、本実施の形態の撮像装置における補間処理を説明するためのタイムチャートである。モニタリング時の画像サイズがＱＶＧＡサイズ（水平３２０画素×垂直２４０画素）の場合、水平縮小処理部１００１により、水平サイズが縮小された画像データが有効信号とともに出力される。補間処理部１０４では、有効画素のみラインメモリに書き込んでいく。動作としては実施の形態１と同等であるが、ラインメモリは３２０画素分備えている。読み出し側のクロックは、書き込み側のクロックと同一周波数となる。補間処理部１０４で一旦４８０ラインの画像を生成した後、垂直縮小処理部１００２において垂直方向の縮小処理を行い、２４０ラインの画像を生成する。
【００４９】
ラインメモリ１０５及び１０６への書き込みにおいて、Ｌ１ラインの画像データが入力されると、その有効画素分がラインメモリ１０５に書き込まれる。次いで、次の画像データであるＬ２ラインの画像データが入力されると、その有効画素分がラインメモリ１０６に書き込まれる。そして、次の画像データであるＬ３ラインの画像データが入力されると、その有効画素分がラインメモリ１０５に書き込まれる。以後、１ライン分の画像データが入力される毎にその有効画素分がラインメモリ１０５とラインメモリ１０６と交互に書き込まれる。
【００５０】
ラインメモリ１０５及び１０６からの読み出しにおいて、Ｌ２ラインの画像データが入力される水平同期信号の立ち上がり時点でラインメモリ１０５からＬ１ラインの有効画素分の画像データが読み出される。この画像データは演算部１０８によってそのまま出力される。次に、次の出力水平同期信号が立ち上がった時点でラインメモリ１０５から再度Ｌ１ラインの有効画素分の画像データが読み出され、また同時にラインメモリ１０６からＬ２ラインの有効画素分の画像データが読み出される。このとき演算部１０８は、Ｌ１ラインの画像データとＬ２ラインの画像データとの平均値（（Ｌ１＋Ｌ２）／２）を算出して出力する。
【００５１】
その後、次の出力水平同期信号の立ち上がり時点でラインメモリ１０６からＬ２ラインの有効画素分の画像データが読み出され、この画像データは演算部１０８によってそのまま出力される。そして、次の出力水平同期信号の立ち上がり時点でラインメモリ１０６から再度Ｌ２ラインの有効画素分の画像データが読み出され、また同時にラインメモリ１０５からＬ３ラインの有効画素分の画像データが読み出される。このとき演算部１０８は、Ｌ２ラインの画像データとＬ３ラインの画像データとの平均値（（Ｌ２＋Ｌ３）／２）を算出して出力する。以後同様の動作を継続する。
【００５２】
このように、本実施の形態の撮像装置によれば、信号処理部１０３と補間処理部１０４との間に入力画像データから水平方向のみ小さい画像サイズの画像データを生成する水平縮小処理部１００１を有し、また補間処理部１０４の後段に垂直方向のみ小さい画像サイズの画像データを生成する垂直縮小処理部１００２を有し、一旦フルスキャンと同じ４８０ラインの画像を生成した後に垂直縮小処理を行って２４０ラインの画像を生成するようにしているので、１２０ラインの画像から２４０ラインの画像を生成するのに比べ、画質を向上させることができる。すなわち、低い周波数のクロックでの補間処理が可能となるとともにより高画質な画像の生成が可能になる。
【産業上の利用可能性】
【００５３】
本発明は、垂直拡大が可能となり、またメモリの容量の削減が可能となり、コストダウンが図れるといった効果を有し、デジタルスチルカメラや携帯電話用カメラなどの静止画取得を行う撮像装置に適用が可能である。
【図面の簡単な説明】
【００５４】
【図１】本発明の実施の形態１の撮像装置の構成を示すブロック図
【図２】本発明の実施の形態１の撮像装置に用いられる固体撮像素子の一例の画素配列を示す図
【図３】図２に示す固体撮像素子の出力タイミングを示すタイムチャート
【図４】本発明の実施の形態１の撮像装置における補間処理を説明するためのタイムチャート
【図５】本発明の実施の形態１の撮像装置における間引きスキャンを説明するための図
【図６】本発明の実施の形態１の撮像装置における２／４間引きスキャン時の映像タイミングを示すタイムチャート
【図７】本発明の実施の形態２の撮像装置の構成を示すブロック図
【図８】本発明の実施の形態２の撮像装置における補間処理を説明するためのタイムチャート
【図９】本発明の実施の形態３の撮像装置の構成を示すブロック図
【図１０】本発明の実施の形態４の撮像装置の構成を示すブロック図
【図１１】本発明の実施の形態４の撮像装置における補間処理を説明するためのタイムチャート
【図１２】従来の撮像装置の構成を示すブロック図
【符号の説明】
【００５５】
１０１  レンズ
１０２  固体撮像素子
１０３  信号処理部
１０４  補間処理部
１０５、１０６  ラインメモリ
１０７  切替器
１０８  演算部
７０１  縮小処理部
９０１  制御部
１００１  水平縮小処理部
１００２  垂直縮小処理部
【図１】
2005080198.tif 000003
【図２】
2005080198.tif 000004
【図３】
2005080198.tif 000005
【図４】
2005080198.tif 000006
【図５】
2005080198.tif 000007
【図６】
2005080198.tif 000008
【図７】
2005080198.tif 000009
【図８】
2005080198.tif 000010
【図９】
2005080198.tif 000011
【図１０】
2005080198.tif 000012
【図１１】
2005080198.tif 000013
【図１２】
2005080198.tif 000014